(57)【要約】【課題】  個人の健康管理に必要な情報、特に消費カロリーを考慮した経路案内が行える携帯型経路案内装置の提供。【解決手段】本発明の携帯型経路案内装置は、設定，入力された起点，終点，目標消費カロリーの情報に基づいて、記憶された地図情報により経路を探索し、探索した経路を表示する携帯型経路案内装置であって、地図情報を記憶する地図情報記憶手段と、自己位置を検出する自己位置検出手段と、個人の日常の健康管理に必要な情報を記憶する管理情報記憶手段と、前記地図情報記憶手段、自己位置検出手段および管理情報記憶手段から得られる情報に基づいて、推奨経路を探索する経路探索手段と、表示部とを備え、探索された前記経路を表示に表示するとともに、消費カロリーをカウントダウンまたはカウントアップして表示することを特徴とする。【選択図】  図２
2008309536.tif 000002
【特許請求の範囲】
【請求項１】
設定，入力された起点，終点，目標消費カロリーの情報に基づいて、記憶された地図情報により経路を探索し、探索した経路を表示する携帯型経路案内装置であって、
地図情報を記憶する地図情報記憶手段と、自己位置を検出する自己位置検出手段と、個人の日常の健康管理に必要な情報を記憶する管理情報記憶手段と、前記地図情報記憶手段、自己位置検出手段および管理情報記憶手段から得られる情報に基づいて、推奨経路を探索する経路探索手段と、表示部とを備え、探索された前記経路を表示に表示するとともに、目標消費カロリーをカウントダウンまたはカウントアップして表示することを特徴とする携帯型経路案内装置。
【発明の詳細な説明】
【技術分野】
【０００１】
本発明は、記憶された地図情報に基づいて目標消費カロリーを消費する徒歩，ジョギング，自転車のうちのいずれかの経路を探索し、探索した経路を表示する携帯型経路案内装置、特に個人の健康管理に必要な情報を利用する携帯型装置に関する。
【背景技術】
【０００２】
各種の経路案内装置が提案されており、この経路案内装置では、ＧＰＳ（グローバル・ポジショニング・システム）装置等の現在地検出手段を有しており、これで現在地を常時検出する。また、ＣＤ−ＲＯＭ等に収められた地図情報を有しており、ディスプレイなどに現在地を含む地図を現在地表示と共に表示する。また、目的地を設定した場合には、地図情報を用いて現在地から目的地までの最適経路を探索し、さらに経路を設定した走行においては、地図上に経路を設定すると共に、右左折する交差点などではこの案内を行う。
【０００３】
ここで、従来の経路案内装置は、徒歩，公共交通機関（鉄道，バス）により、基本的に目的地までの所要時間を考慮するものである。従って、徒歩を考慮するといっても、徒歩により移動する距離を所要時間の一部として考慮するだけである。
【０００４】
一方、人間が快適に生活していく上で、個々人の健康管理は非常に重要な要素である。そして、目的地までの移動において、どのくらいの距離を歩くか、その際の消費カロリーはどのくらいか等という情報は非常に重要な場合も多い。これらの問題を解決するための経路案内装置も提案されている（特許文献１）。しかしながら、徒歩，ジョギング，自転車により、目標消費カロリーを消費するために、地図情報に基づいて経路を探索し、探索した経路を表示する携帯型経路案内装置は提案されていない。
【特許文献１】特許第３２３３０４８号公報
【発明の開示】
【発明が解決しようとする課題】
【０００５】
本発明は、上記課題に鑑みなされたものであり、個人の健康管理に必要な情報、特に消費カロリーを考慮した経路案内が行える携帯型経路案内装置を提供することを目的とする。
【課題を解決するための手段】
【０００６】
上記目的を達成するために、本発明の携帯型経路案内装置は、設定，入力された起点（出発地点），終点（出発地点），目標消費カロリーの情報に基づいて、記憶された地図情報により経路を探索し、探索した経路を表示する携帯型経路案内装置であって、地図情報を記憶する地図情報記憶手段と、自己位置を検出する自己位置検出手段と、個人の日常の健康管理に必要な情報を記憶する管理情報記憶手段と、地図情報記憶手段、自己位置検出手段および管理情報記憶手段から得られる情報に基づいて、推奨経路を探索する経路探索手段と、表示部とを備え、探索された経路を表示に表示するとともに、目標（設定）消費カロリーをカウントダウンまたはカウントアップして表示することを特徴とする。
【発明の効果】
【０００７】
本発明によれば、日常の健康管理に必要な情報が管理情報記憶手段に記憶されていて、この健康管理に必要な情報を利用して、経路探索を行うことで、健康についての使用者の要望に応じた経路を選択することができる。また、管理情報記憶手段が個人の日常の健康管理に必要な医療情報を記憶していることを特徴とする。携帯用であるため、徒歩，ジョギング，自転車走行の際に、そのスピードなどの管理が行え、所望のカロリー消費のための徒歩，ジョギングのペースをガイドしたりすることができる。また、温度計を備えて置くことで、熱中症を事前に防止することができる。また、ｉ−モード機能を備えていれば、経路の天候なども把握して運動（徒歩，ジョギング，自転車走行）を行なうことができる。
【発明を実施するための最良の形態】
【０００８】
以下、本発明に好適な実施の形態（以下、実施形態という）について、図面に基づいて説明する。図１は、実施形態の経路案内装置を利用した携帯型経路案内装置１００の構成を示す図である。なお、実施例はこれに限定されるものではない。
【０００９】
携帯型経路案内装置１００は、ＣＰＵ（制御部）１０を有しており、このＣＰＵ１０が各種の演算や、装置の制御を行う。１８はＲＡＭであり、ＣＰＵ（制御部）１０において処理されるプログラムのワークエリアとして機能するとともに、プログラム処理時にデータ等を一時的に記憶する記憶手段としても機能する。１７はＲＯＭであり、ＣＰＵ１０にて処理されるプログラムが格納されている。
【００１０】
携帯型経路案内装置１００は、ＣＰＵ（中央制御部）１０の他、表示部１１、入力部１２、温度計１３、心拍計１４、ＧＰＳ１５、外部通信部１６、各種データを記憶するデータベース１９、音声合成ＩＣ２０、イヤホン２１、スピーカ２１ａ、加速度計２２、クロック２３を備えている。なお、携帯電話に、温度計１３、心拍計１４、ＧＰＳ１５、外部通信装置１６、各種データを記憶するデータベース１９、音声合成ＩＣ２０、イヤホン２１、スピーカ２１ａ、加速度計２２を設けて、携帯型経路案内装置１００と同様の機能を持たせてもよい。加速度計２２は歩数を計測するものである。
【００１１】
加速度計２２は、携帯型経路案内装置１００を持って、歩いたり走ったりした際に、その歩数をカウントする。また、クロック２３と関連づけて、個人の徒歩，ジョギングの場合の歩幅（ｃｍ）を入力部１２で入力しておくことで分速（ｍ／分）をＣＰＵ１０で演算できるようになっている。
【００１２】
ＧＰＳ１５は、アンテナを備え、ＧＰＳ衛星からの電波を受信して現在地を検出すると共に、ＦＭ多重放送などで提供されるＧＰＳ測位の誤差情報に基づいて現在地をより正確なものとして認識する。
【００１３】
外部通信装置１６は、無線によるｉ−モード通信機能を備え、各種データを記憶するデータベース１９に、必要な地図情報をダウンロードできるようになっている。１８はＲＡＭであり、ＣＰＵ１０において処理されるプログラムのワークエリアとして機能するとともに、プログラム処理時にデータ等を一時的に記憶する記憶手段としても機能する。１７はＲＯＭであり、ＣＰＵ１０にて処理される各種制御プログラムが格納されている。
【００１４】
また、ＣＰＵ１０には、データベース１９が接続されている。このデータベース１９には、外部通信部１６または、ＩＣチップ（不図示）からダウンロードすることにより、歩道や階段の数なども含む道路地図情報を記憶する地図データベース１９ａが含まれている。この地図データベース１９ａには、例えば、道路形状、沿道の情報（公園，季節の花の開花情報，紅葉情報等）の情報が記憶されている。また、この地図データベース１９ａには、歩行用として、歩道、勾配、階段、高低差などの情報も含まれている。
【００１５】
そして、このデータベース１９には、個人の健康管理に必要な健康管理データベース１９ｂとして、ユーザ個人の血圧，血糖値，体重，一日当たりの食事カロリー，カロリー制限データ，糖尿病，腎臓病などの医療情報が記憶されている。さらに、消費カロリーの計算のために、徒歩一歩（８０ｃｍ）あたりの消費カロリーを０．０２ｋｃａｌ，ジョギング一歩（１３０ｃｍ）あたりの消費カロリーを０．０２ｋｃａｌとして各運動の単位時間当たりの消費カロリーのテーブルも記憶している。
【００１６】
なお、カロリーのテーブルは、例えば、徒歩やジョギングなどに応じた消費カロリーや階段の上り下りに応じた消費カロリーなどを記憶している。
【００１７】
ＣＰＵ１０には、入力部１２が設けられている。この入力部１２は、操作キーが含まれ、徒歩及び／またはジョギングの起点，終点，目標消費カロリーの入力や、各種の個人データ、例えば、ユーザ個人の血圧，血糖値，体重，一日当たりの食事カロリー，カロリー制限データ，糖尿病，腎臓病などの医療情報の入力等に利用される。
【００１８】
さらに、ＣＰＵ１０には、表示部１１、音声合成ＩＣ２０を介し、イヤホン２１またはスピーカ２１ａが接続されていて、表示部１１では、地図、ＧＰＳ１５による現在地表示等が行われ、イヤホン２１またはスピーカ２１ａからは各種の指示、ガイダンスなどが出力される。
【００１９】
次に、携帯型経路案内装置１００における実際の使用例について図１，図２に基づいて説明する。まず、入力部１２の操作キーで、徒歩及び／またはジョギングの起点，終点，目標消費カロリーの入力画面を表示させる（ステップＳ１：図２（ａ）参照）。
【００２０】
この画面置において、起点（画面の例では、自宅）、終点（画面の例では、自宅）、目標消費ｋｃａｌ（画面の例では、３００ｋｃａｌ）、運動の形態（画面の例では、徒歩）を入力する（ステップＳ２）。入力された内容の変更がない場合、カーソルを「次へ」に合せ、クリックする（ステップＳ３）と、次画面に遷移する（図２（ｂ））。住所を入力することで起点とすることも可能である。
【００２１】
この画面では、設定入力された目標消費カロリー３００ｋｃａｌが表示され、開始時刻を入力し、カーソルを「検索」に合わせてクリックすると、終了予定時刻、歩数が演算され、表示される（ステップＳ４）。複数の経路、実施例では3つの経路１，２，３がリスト表示される。歩数は、ディフォルト値としてＲＯＭ１７に記憶された、徒歩一歩の歩幅を８０ｃｍ、ジョギング一歩の歩幅を１３０ｃｍとして演算される。使用者個々人がこの値を入力部１２で設定変更できるようになっている。
【００２２】
この画面で、例えば経路１にカーソルを合わせクリックすると地図データベース１９ａから所望の地図が抽出され、図2（ｃ）に示す経路１の地図・経路表示がなされる（（ステップＳ５）。この画面で、カーソルを「確定」に合せ、クリックする（ステップＳ６）と、「案内を開始します。ウオーンキグを開始してください。」という音声ガイドがイヤホン２１またはスピーカ２１ａからなされる。消費カロリーをカウントダウンする場合は、５つ（複数）のＬＥＤのセグメントが全灯する。消費カロリーをカウントアップする場合は、５つ（複数）のＬＥＤのセグメントは点灯しない。
【００２３】
ウォーキングを続けると、開始からの消費カロリーの音声ガイドがイヤホン２１またはスピーカ２１ａからなされる。また、ＧＰＳ１５により、現在位置がリアルタイムで視認できる。消費カロリーをカウントダウンする場合は、それに合せて、５つ（複数）のＬＥＤのセグメントが設定消費カロリーの２０％消費する毎に点灯数が１つずつ減少する。消費カロリーをカウントアップする場合は、設定消費カロリーの２０％消費する毎に順次点灯数が増加する（ステップＳ７）。
【００２４】
実施例では、ウォーキング（徒歩）の例に基づいて説明したが、ウォーキング（徒歩）とジョギングとの組合せでの設定、ジョギングでの設定、自転車での設定、自転車，ウォーキング（徒歩）組合せ等種々の組合せで、目標消費カロリーを設定でき、設定された情報に基づき、地図・経路表示を複数表示させ、選択することができる。なお、自転車の場合、例えば、１０分（時速１５ｋｍ程度）走行で消費カロリーを３０ｋｃａｌとしている。
【００２５】
また、温度計３，心拍計１４を設けることで、夏季の熱中症の防止を図ることができる。特に、イヤホン１２に、体温計（不図示）、心拍計１４を設けることで、夏季の熱中症の防止を図ることができる。
【図面の簡単な説明】
【００２６】
【図１】本発明の実施例を示すブロック図である。
【図２】本発明の実施例に係る表示画面を示す図である。
【符号の説明】
【００２７】
１０  ＣＰＵ、１１  表示部、１２  入力部、１６  外部通信部、１９ａ  地図データベース
【図１】
2008309536.tif 000003
【図２】
2008309536.tif 000004